(57)【要約】【課題】  いろいろな画素数のｓＹＣＣ色空間のＪＰＥＧ画像をファクシミリ受信したときに、受信ごとに拡大縮小の設定を行わずに、使用者が見やすいようなサイズに出力するためには、受信の度に印刷サイズを設定する必要がある。【解決手段】  ｓＹＣＣ色空間のＪＰＥＧ画像をファクシミリ受信するとき、受信したカラー画像の最初の数ラインから横画素数を判定して、ファクシミリ受信したＪＰＥＧ画像を最適なサイズに変更することによって、画像通信装置が自動受信、自動プリントの状態であっても、受信したｓＹＣＣ色空間のＪＰＥＧ画像を使用者が見やすいサイズに拡大縮小してプリントを行う。【選択図】      図２
2006140904.tif 000002
【特許請求の範囲】
【請求項１】
画像データを通信できる画像通信装置において、
受信した画像データをプリントする手段と、
受信するカラー画像データがｓＹＣＣ色空間を用いたＪＰＥＧ画像であるか、Ｌａｂ色空間を用いたＪＰＥＧ画像であるかを判断する手段と、
受信するカラー画像データがｓＹＣＣ色空間を用いたＪＰＥＧ画像である場合、前記ＪＰＥＧ画像の画素数から判断して、プリントする画像の大きさを変更する手段と、
を有することを特徴とする画像通信装置。
【発明の詳細な説明】
【技術分野】
【０００１】
本発明はファクシミリ装置、特に、カラー情報を送信可能なファクシミリ装置等の画像通信装置に関する。
【背景技術】
【０００２】
従来のファクシミリ装置において、カラー情報を送信する場合、ＩＴＵ−Ｔ勧告Ｔ．８２で規定されているＪＰＥＧ符号化を使用し、ＩＴＵ−Ｔ勧告Ｔ．４１の色空間で、フルカラー情報を送信する。上記従来例では、ファクシミリ送信するカラー情報をＬａｂという色空間で行っているが、例えばデジタルカメラで撮影した画像の色空間はｓＹＣＣである。カラー情報を色空間ｓＹＣＣでファクシミリ送信するものはある（例えば、特許文献１参照）。
【特許文献１】特開２００３−３７７４２号公報
【発明の開示】
【発明が解決しようとする課題】
【０００３】
上記従来例では、ファクシミリ送信するカラー情報をＬａｂという色空間で行っているが、例えばデジタルカメラで撮影した画像の色空間はｓＹＣＣである。デジタルカメラは機種によって撮影できる画素数が決まっており、通常ファクシミリ送受信で使用されるＡ４サイズの用紙にプリントする場合に、使用者が見やすいようなサイズに出力するためには、受信の度に印刷サイズを設定する必要があり面倒である。しかも、ファクシミリの使い方として、無人の状態でも自動受信したファクシミリ画像を自動でプリントすることが多く、この場合ファクシミリを受信する度にサイズを設定することはできない。
【０００４】
本発明の画像通信装置は、以上の点に着目して成されたもので、ｓＹＣＣ色空間のＪＰＥＧ画像をファクシミリ受信するときに、受信したカラー画像の最初の数ラインから画素数を判定する手段と、ファクシミリ受信したＪＰＥＧ画像サイズを変更する手段とによって、画像通信装置が自動受信、自動プリントの状態であっても、受信したｓＹＣＣ色空間のＪＰＥＧ画像を使用者が見やすいサイズに拡大縮小してプリントを行うことを実現する。
【課題を解決するための手段】
【０００５】
この発明は下記の構成を備えることにより上記課題を解決できるものである。
【０００６】
（１）画像データを通信できる画像通信装置において、受信した画像データをプリントする手段と、受信するカラー画像データがｓＹＣＣ色空間を用いたＪＰＥＧ画像であるか、Ｌａｂ色空間を用いたＪＰＥＧ画像であるかを判断する手段と、受信するカラー画像データがｓＹＣＣ色空間を用いたＪＰＥＧ画像である場合、前記ＪＰＥＧ画像の画素数から判断して、プリントする画像の大きさを変更する手段と、を有することを特徴とする画像通信装置。
【発明の効果】
【０００７】
本発明の画像通信装置によれば、いろいろな画素数のｓＹＣＣ色空間のＪＰＥＧ画像をファクシミリ受信したときに、受信ごとにサイズの拡大縮小の設定を行わずに、適切なサイズに変更してプリントを行うことができる。
【発明を実施するための最良の形態】
【０００８】
以下、添付図面を参照して本発明の実施例の形態を説明する。
【実施例】
【０００９】
図１は本発明の実施例である画像通信装置１００の内部構成を示す図である。
【００１０】
画像通信装置１００はＣＰＵ１０１とＲＯＭ１０２と、ＲＡＭ１０３と、ＬＣＤ１０４と、パネル１０５と、プリンタ１０６と、ＣＩＳ（Ｃｏｎｔａｃｔ  Ｉｍａｇｅ  Ｓｅｎｓｏｒ）１０７と、ＡＳＩＣ１０８と、ＮＣＵ１１０と、クロスポイントスイッチＩＣ１１１と、ハンドセット１１２と、を有する。
【００１１】
ＣＰＵ１０１はＲＯＭ１０２に格納されたプログラムに従って、画像通信装置の制御を行う。ＲＡＭ１０３は、プログラム実行時のワークメモリとして使用すると共に、送受信する画像データのバッファリングにも使用される。ＡＳＩＣ１０４は、画像通信用のＡＳＩＣである。クロスポイントスイッチＩＣ１１１はＮＣＵ１１０、ＡＳＩＣ１０４、モデム１０９、ハンドセット１１２の間における切り替えを行うスイッチである。モデム１０９は、デジタル信号を変調し、アナログ回線を電送できる音声帯域のアナログ信号に変換し、ＦＡＸ受信時には、受信したアナログ信号を復調し、デジタル信号に変換した後に、ＭＨ符号化データを出力する。ＭＨ符号化／復号化は、ＣＰＵ１０１でソフト的に処理している。キー操作のパネル１０５は、画像通信装置１００を操作するボタンやＬＥＤを有する。
【００１２】
ＣＩＳ（ＣｏｎｔａｃｔＩｍａｇｅＳｅｎｓｏｒ）１０７は、原稿の画像をデジタル信号に変換する。デジタル信号は、モデム１０９によって、アナログ信号に変換され、ＣＰＵ１０１の制御によってＦＡＸ送信される。プリンタ１０６は、受信した画像データを記録紙に印刷する。
【００１３】
ＬＣＤ１０４は、図示していないＬＣＤコントローラを介して、ＣＰＵ１０１が制御し、例えば受信画像、受信通知、受信日時、送信元等を表示するものである。ＮＣＵ１１０は、電話網をデータ通信等に使用するために、その回線の端末に接続し、電話回線網の接続制御を行ったり、データ通信路への切り替えを行ったり、ループの保持を行うものである。
【００１４】
次に、画像通信装置１００が他の画像通信装置からデータを受信したときにおける画像通信装置１００の動作について説明する。図２は、画像通信装置１００が他の画像通信装置からデータを受信したときにおける画像通信装置１００の動作を示すフローチャートである。まず、相手の画像通信装置がＦＡＸ画像送信のためのＣＮＧ信号を送信すると、ＣＰＵ１はクロスポイントスイッチＩＣ１１１の接続を切り替え、モデム１０９を介して、相手の画像通信装置との間で音声信号の送受信を行うことができる状態にする（Ｓ１０１）。
【００１５】
ＣＰＵ１０１は、モデム１０９を制御し、受信したＣＮＧ信号に対する応答信号であるＣＥＤ信号を送信し、以下、ＩＴＵ−Ｔ勧告Ｔ．３０で定められる手順に従って、画像送信前に必要な情報を交換する（Ｓ１０２）。このとき、特開２００３−１０１７９９号公報で提案されているように、ＤＩＳ／ＤＴＣ信号に追加されたプロトコルにより、カラー画像を送信する送信側はＬａｂ色空間のカラー画像であるか、ｓＹＣＣ色空間のカラー画像であるかを前手順で送信し、受信側はこの追加されたプロトコルから受信した画像が、Ｌａｂ色空間のカラー画像であるか、ｓＹＣＣ色空間のカラー画像であるかを判定する（Ｓ１０３）。
【００１６】
続いて、相手の画像通信装置から画像信号を受信すると、受信した画像信号をモデム１０９で復調する。復調されたデータは、ＭＨ等の所定の符号化方式によって圧縮されているので、ＣＰＵ１０１が復号化処理を施される。ここで、受信するカラー画像がＬａｂ色空間のカラー画像であった場合、画像サイズの変更は行わず、プリントを行う（Ｓ１０４）。
【００１７】
受信するカラー画像がｓＹＣＣ色空間のカラー画像であると判定された場合で、画像通信装置１００がファクシミリ受信後すぐプリントを行う設定になっていたとき、ＣＰＵ１００は受信したカラー画像の最初の数ラインから横画素数を判定して、受信画像を適切なサイズに変更する（Ｓ１０５）。その後、適切なサイズに変更されたカラー画像はプリンタ１０６でプリントされる（Ｓ１０７）。プリント後ＬＣＤなどのディスプレイに「ファクシミリ受信プリント１件」などと表示させ（Ｓ１０８）、スタンバイ状態に移行する（Ｓ１１１）。またＲＡＭ１０３に保存する設定になっていた場合、ＣＰＵがＭＨ等の復号化処理後のデータはＲＡＭ１０３に格納され（Ｓ１０９）、ＬＣＤに「メモリ受信１件」などと表示させ（Ｓ１１０）、スタンバイ状態に移行する（Ｓ１１１）。
【００１８】
次にＳ１０５での画像サイズ倍率変更の方法について説明する。
【００１９】
ファクシミリで通常一般的に使用するＡ４サイズの紙に印刷する場合、本発明の画像通信装置のプリンタの解像度が２００ｄｐｉであったと仮定すると、Ｌａｂの色空間のカラーファクシミリで使用される横画素数は１７２８ｐｉｘｅｌであるが、ＳＹＣＣ色空間を用いたＪＰＥＧ画像の画素数はデジタルカメラにより異なる。
【００２０】
そこで、まず１つ目の方法としては画素数の大きいものも小さいものも１画素の大きさは同じとしてプリントする方法がある。このときＡ４サイズよりも大きくなる画素数の画像を受信した場合、画像サイズの圧縮を行いＡ４サイズに入るサイズに変更してプリントを行う。
【００２１】
次に、画素数の違う画像データについて全てＡ４サイズの大きさに変更して出力する方法である。しかし、例えばカメラ付き携帯電話などで撮影した低画素の画像データをＡ４サイズにあわせてプリントすると、１画素が大きくなり画像が荒くなってしまう。その場合ある一定の画素数まではＬ版サイズに画像サイズを拡大縮小してプリントを行い、一定以上の画素数ではＡ４サイズに拡大縮小し、プリントする方法がある。
【００２２】
もちろん上記以外の方法で画像サイズを拡大縮小してプリントしてもかまわない。
【図面の簡単な説明】
【００２３】
【図１】実施例の画像通信装置を示すブロック図である。
【図２】実施例の動作を示すフローチャートである。
【符号の説明】
【００２４】
１００  画像通信装置
１０１  ＣＰＵ
１０２  ＲＯＭ
１０３  ＲＡＭ
１０４  ＬＣＤ
１０５  パネル
１０６  プリンタ
１０７  ＣＩＳ（Ｃｏｎｔａｃｔ  Ｉｍａｇｅ  Ｓｅｎｓｏｒ）
１０８  ＡＳＩＣ
１１０  ＮＣＵ
１１１  クロスポイントスイッチＩＣ
１１２  ハンドセット
【図１】
2006140904.tif 000003
【図２】
2006140904.tif 000004